(57)【要約】 【課題】  ゲージプレス機において定期的に行われるゲージ交換作業を容易にすることである。【解決手段】  下面６１ａのゲージセット面にゲージＧをセットしたラム６１を昇降させて、搬送途中で一時停止されたパチンコ面板Ｔに釘下孔Ｈ0 を穿孔させるためのゲージプレス機Ｄにおいて、プレス機Ｄの側方に配置されて、ラム６１の側方とラム６１の直下との間においてゲージＧの搬入出を行うゲージ搬入出装置Ｂと、前記ラム６１内に配設された電磁石Ｍとから成り、前記ゲージ搬入出装置Ｂのゲージ支持枠Ｆをラム６１のゲージセット面の直下に配置して、前記電磁石ＭのＯＮ・ＯＦＦによりゲージセット面に対してゲージＧの着脱を行う構成とする。【選択図】        図１０
2008161244.tif 000002
【特許請求の範囲】
【請求項１】
下面のゲージセット面にゲージをセットしたラムを昇降させて、搬送途中のパチンコ面板を一時停止させて釘下孔を穿孔するためのゲージプレス機において、
前記ゲージプレス機の側方に配置されて、ラムの側方とラムの直下との間においてゲージの搬入出を行うゲージ搬入出装置と、前記ラム内に配設された電磁石とから成り、前記ゲージ搬入出装置のゲージ支持枠をラムのゲージセット面の直下に配置して、前記電磁石のＯＮ・ＯＦＦによりゲージセット面に対してゲージの着脱を行うことを特徴とするゲージプレス機におけるゲージ着脱装置。
【請求項２】
前記ラムの下面には、非常原因による電源ＯＦＦによりゲージが落下するのを防止するゲージ落下防止具が設けられていることを特徴とする請求項１に記載のゲージプレス機におけるゲージ着脱装置。
【請求項３】
前記ラムの下面のゲージセット面には、電磁石の残留磁気によりゲージが吸着されたままとなるのを防止して、ラム下面に対してゲージを強制的に離脱させるゲージ離脱ピンが出入可能に設けられていることを特徴とする請求項１又は２に記載のゲージプレス機におけるゲージ着脱装置。
【請求項４】
前記ゲージには一対の位置決め孔が設けられていて、当該一対の位置決め孔は、前記ゲージ搬入出装置のゲージ支持枠、及びゲージプレス機のラム下面のゲージセット位置の双方に対する位置決め孔を兼用していることを特徴とする請求項１ないし３のいずれかに記載のゲージプレス機におけるゲージ着脱装置。
【請求項５】
前記ゲージ搬入出装置は、水平搬送用、及び垂直搬送用の２種類のシリンダを備えていて、前記ゲージ支持枠は、プレス設置面に立った作業者が前記ゲージ支持枠に対するゲージの着脱を行える高さまで下降することを特徴とする請求項１ないし４のいずれかに記載のゲージプレス機におけるゲージ着脱装置。
【発明の詳細な説明】
【技術分野】
【０００１】
本発明は、下面にゲージを着脱可能に取付けたラムを昇降させて、搬送途中で位置決めされたパチンコ面板に釘下孔を穿孔するためのゲージプレス機におけるゲージ着脱装置に関するものである。
【背景技術】
【０００２】
ゲージプレス機Ｄの基本構成は、図１ないし図３に示されるように、多数本の固定用ローラＲにより構成されて、搬送途中のパチンコ面板Ｔを搬送方向（Ｘ方向）、及び当該搬送方向Ｘと直交する水平方向である搬送直交方向（Ｙ方向）の二方向に沿って位置決めして固定するために、ラム６１の直下のベッド６２の上面に配置されたパチンコ面板Ｔの面板位置決め固定装置Ａと、前記ラム６１の下面に着脱可能に取付けられるゲージＧとを備え、前記面板位置決め固定装置ＡによりＸ，Ｙの両方向の位置決めを行って固定されたパチンコ面板Ｔに対してラム６１を下降させることにより、当該パチンコ面板Ｔの上面の釘打位置に釘下孔を穿孔する装置である（特許文献１参照）。ゲージＧは、鉄製であり、パチンコ面板Ｔの全体形状に対応した方形状をなしている。
【０００３】
ベッド６２と上ベース６３とは、上下方向に所定間隔をおき、しかも各コーナー部において４本のガイドロッド６４を介して一体に連結され、前記ラム６１は複数本のガイドロッド６４に案内支持され、上ベース６３の上面に取付けられたラム昇降シリンダ６５のロッド６６と前記ラム６１とが連結され、ラム昇降シリンダ６５のロッド６６の出入りにより、前記ラム６１はベッド６２に対して昇降する。また、平面方形状をしたラム６１、ベッド６２及び上ベース６３の対向辺の両端の延長部にそれぞれロッド支持部７０が一体に形成され、各ロッド支持部７０においてガイドロッド６４が支持されている。
【０００４】
また、前記面板位置決め固定装置Ａは、図７に示されるように、パチンコ面板Ｔの幅に対応する間隔をおいて多数本の固定用ローラＲがパチンコ面板Ｔの搬送方向Ｘに沿って所定間隔をおいた２列となって垂直配置された構成であって、固定用ローラＲの上端部には、パチンコ面板Ｔの板厚よりも僅かに大きな間隔をおいた上下一対の鍔体６７が形成され、各ローラＲの上下一対の鍔体６７の間に、パチンコ面板Ｔの両端部を挟んだ形態で保持させて、各ローラＲを駆動回転させることにより、パチンコ面板Ｔを搬送すると共に、釘下孔の穿孔終了後においては、上側の鍔体６７にパチンコ面板Ｔの上面が引っ掛かることによって、当該パチンコ面板Ｔが各ゲージピン６８（図１２及び図１３参照）と一緒に持ち上げられることなく、パチンコ面板Ｔに対するゲージＧの各ゲージピン６８の引き抜きを可能にしている。また、対向配置された多数本の固定用ローラＲのうち搬送方向Ｘに沿って最も下流側に相対向して配置された一対の固定用ローラＲの間には、釘下孔の穿孔時においてパチンコ面板Ｔの停止位置を定めるための一対のストッパーピン６９がピン昇降シリンダ７１により昇降可能に配置されている。また、図１及び図２において、７２は、左右の各列に配置された複数本の固定用ローラＲを各列毎に駆動するモータを示し、当該モータ７２の駆動軸（図示せず）に取付けられたプーリ７３と、各固定用ローラＲの下端部に取付けられたプーリ７４との間に無端ベルト７５が掛装されて、各モータ７２の動力により各固定用ローラＲが駆動回転する。なお、図７において、７６は、テンションローラを示す。
【０００５】
そして、ゲージＧに関しては、パチンコ面板Ｔの機種が変更される毎に、対応するゲージＧと交換する必要がある。そのため、従来は、人手によりラム６１の下面にゲージＧを配置して位置決めを行った状態で、ボルト（図示せず）によりラム６１の下面に固定していたので、定期的に行われるゲージＧの交換作業は大変に面倒であり、しかも昇降するラムの直下で行うために、危険でもあった。
【特許文献１】実公平４−３２１２８号公報
【発明の開示】
【発明が解決しようとする課題】
【０００６】
本発明は、ゲージプレス機において定期的に行われるゲージ交換作業を容易にすることを課題としている。
【課題を解決するための手段】
【０００７】
上記課題を解決するために請求項１の発明が採用した手段は、下面のゲージセット面にゲージをセットしたラムを昇降させて、搬送途中で一時停止されたパチンコ面板に釘下孔を穿孔させるためのゲージプレス機において、当該ゲージプレス機の側方に配置されて、ラムの側方とラムの直下との間においてゲージの搬入出を行うゲージ搬入出装置と、前記ラム内に配設された電磁石とから成り、前記ゲージ搬入出装置のゲージ支持枠をラムのゲージセット面の直下に配置して、前記電磁石のＯＮ・ＯＦＦによりゲージセット面に対してゲージの着脱を行うことを特徴としている。
【０００８】
請求項１の発明によれば、ラムの側方に配置されたゲージの搬入出装置のゲージ支持枠に位置決めしてゲージを支持した状態で、当該ゲージ支持枠で支持されたゲージをゲージプレス機のラムの直下まで搬入する。この状態で、ラム内に配設された電磁石をＯＮすると、ラムのゲージセット面とゲージの裏面との間隔は僅か（数ｍｍ）であるので、その磁気吸引力により鉄製のゲージはラム下面のゲージセット位置に磁気吸着によりセットされる。ゲージのセット後には、ゲージ支持枠は、ゲージプレス機の側方に退避させる。一方、パチンコ面板の機種の変更等により、ゲージを交換する必要が発生した場合には、ラムのゲージセット位置の直下にゲージ支持枠をセットした状態で電磁石をＯＦＦすると、ゲージを吸着していた磁気吸引力がなくなって、ゲージは、直下のゲージ支持枠上に落下して支持される。ゲージの落下距離は僅か（数ｍｍ）であるので、落下による衝撃は全くない状態でゲージ支持枠上にゲージが支持され、その後に、上面にゲージが支持されたゲージ支持枠をゲージプレス機の側方に退避させる。
【０００９】
また、請求項２の発明は、請求項１の発明において、前記ラムの下面には、非常原因による電源ＯＦＦによりゲージが落下するのを防止するゲージ落下防止具が設けられているので、停電等の非常原因により電磁石の電源がＯＦＦされて、ゲージが落下する恐れがある場合でも、当該ゲージは、ゲージ落下防止具により仮支持されるので、ゲージの落下を防止できる。
【００１０】
また、請求項３の発明は、請求項１又は２の発明において、前記ラムの下面のゲージセット面には、電磁石の残留磁気によりゲージが吸着されたままとなるのを防止して、ラム下面に対してゲージを強制的に離脱させるゲージ離脱ピンが出入可能に設けられているので、ゲージ交換の際に、電磁石の電源をＯＦＦした場合の残留磁気によりゲージが落下しない場合であっても、前記離脱ピンを突出させることにより、ゲージは直下のゲージ支持枠上に落下させられる。
【００１１】
また、請求項４の発明は、請求項１ないし３のいずれかの発明において、前記ゲージには一対の位置決め孔が設けられていて、当該一対の位置決め孔は、前記ゲージ搬入出装置のゲージ支持枠、及びゲージプレス機のラム下面のゲージセット位置の双方に対する位置決め孔を兼用しているので、ゲージに設ける位置決め孔の総数を半減させられる。
【００１２】
また、請求項５の発明は、請求項１ないし４のいずれかの発明において、前記ゲージ搬入出装置は、水平搬送用、及び垂直搬送用の２種類のシリンダを備えていて、前記ゲージ支持枠は、プレス設置面に立った作業者が前記ゲージ支持枠に対するゲージの着脱を行える高さまで下降するので、ゲージ交換の際において、ゲージ支持枠に対するゲージの着脱を最も作業し易い作業姿勢で行える。
【発明の効果】
【００１３】
本発明は、ゲージ搬入出装置のゲージ支持枠をラムのゲージセット面の直下に配置して、ラム内に配設された電磁石のＯＮ・ＯＦＦにより前記ゲージセット面に対してゲージの着脱を行う構成であるので、ラム下面のゲージセット面に対してゲージの着脱を行うために、着脱作業が難しく、しかも危険なゲージの着脱作業を安全に、しかも容易に行える。
【発明を実施するための最良の形態】
【００１４】
以下、最良の実施例を挙げて、本発明を更に詳細に説明する。図１は、本発明に係るゲージプレス機Ｄの全体斜視図であり、図２は、同じく正面図であり、図３は、同じく右側面図であり、図４は、ゲージ搬入出装置Ｂの斜視図である。ゲージプレス機Ｄの全体構成は、「背景技術」の項目で説明した通りであって、ベッド６２の側面にゲージ搬入出装置Ｂが装着されている。ゲージ搬入出装置Ｂは、ラム６１の下面のゲージセット位置に対してゲージＧの着脱を行うために、上昇端位置におけるラム６１の側方と、当該ラム６１の下面のゲージセット位置との間においてゲージＧの搬入出を行う装置であって、１本の昇降（垂直移動）シリンダ１と第１及び第２の各水平移動シリンダ２，３との各作用によって、昇降と水平移動との組み合わせによって、ゲージＧを支持するゲージ支持枠Ｆを、プレス機Ｄの設置面において人によりゲージＧの着脱を行える第１位置と、前記ラム６１の下面のゲージセット面に対してゲージＧの着脱を行える第２位置との間を移動させている。
【００１５】
昇降枠４は、垂直方向に配置された一対の第１ガイド体５に案内されて、前記昇降シリンダ１によって昇降し、昇降枠４を構成する水平支持板４ａの左右両端部には、当該水平支持板４ａに対する水平移動枠６の水平移動の案内を行う第２ガイド体７、及びガイドロッド８がそれぞれ設けられている。水平移動枠６は、左右一対の本体部材１７の搬送直交方向Ｙに沿った両端部がそれぞれ連結部材１５で連結されて、前記本体部材１７の上面の左右両端部には第２ガイド体７がそれぞれ取付けられ、前記各本体部材１７の直下に配置された各ガイドロッド８が前記各第２ガイド体７に摺動案内されて、水平移動枠６は第１水平移動シリンダ２により搬送直交方向Ｙに沿って往復水平移動を行う。また、水平移動枠６の上面の左右両端部には、前記第２水平移動シリンダ３により当該水平移動枠６に対してゲージ支持枠Ｆを水平移動させる際の案内を行う第３ガイド体９がそれぞれ設けられている。
【００１６】
ゲージ支持枠Ｆは、ゲージプレス機Ｄに対して水平移動枠６の進入側の左右両端部に設けられた一対の第３ガイド体９に直接に嵌合するように前記搬送直交方向Ｙに沿って配置された左右一対の嵌合部材１１と、当該一対の嵌合部材１１の上面に所定間隔をおいて搬送方向Ｘに沿って配置される２枚の板状の中間部材１２と、当該２枚の中間部材１２の長手方向の両端部に搬送直交方向Ｙに沿って配置されて、ゲージＧを直接に支持する一対のゲージ支持部材１３との３種類の部材１１，１２，１３が一体に組み付けられた構成である（図４参照）。
【００１７】
図５（イ），（ロ），（ハ）は、ゲージ支持枠Ｆが上昇端に位置している状態において、それぞれゲージ支持枠Ｆがプレス機Ｄの側方に位置している状態、中間位置に位置している状態、及びラム６１の下面のゲージセット面の直下に位置している状態の平面図である。ゲージ支持枠Ｆが、図１０に示される第１位置に配置された状態において、昇降シリンダ１を作動させて当該ゲージ支持枠Ｆを上昇端まで上昇させ〔図５（イ）〕、その後に第１水平移動シリンダ２を作動させて水平移動枠６をストロークＳ1 だけプレス機Ｄに対して進入させ〔図５（ロ）〕、更にその後に、第２水平移動シリンダ３を作動させて水平移動枠６に対してゲージ支持枠ＦをストロークＳ2 だけ相対的に移動させる〔図５（ハ）〕と、ゲージ支持枠Ｆは、ラム６１の下面６１ａのゲージセット面の直下に配置される。
【００１８】
また、図４に示されるように、ゲージ支持枠Ｆを構成する一対のゲージ支持部材１３の長手方向の中央部上面には、ゲージＧに形成された一対の位置決め孔Ｈ1 （図８参照）に対して嵌合して、当該ゲージ支持枠Ｆに対するゲージＧの位置を定めるための左右一対の位置決めピンＰ1 が形成されている。方形板状のゲージＧの板厚は、８〜１０ｍｍ程度であって、前記位置決めピンＰ1 の突出長は、４〜５ｍｍであるため、当該位置決めピンＰ1 は、ゲージＧの位置決め孔Ｈ1 に対して半分程度だけ嵌合される。
【００１９】
次に、図８ないし図１２を参照して、ゲージプレス機Ｄのラム６１の下面６１ａのゲージセット面（後述のゲーシ取付け板２１の下面が相当する）と、ゲージＧ、及びパチンコ面板Ｔの各関係について説明する。図８は、ゲージプレス機Ｄのラム６１の下面６１ａのゲージセット面（ゲージ取付け板２１）と、ゲージＧ、及びパチンコ面板Ｔとを分離させた状態の斜視図であり、図９は、ゲージプレス機Ｄのゲージセット面（ゲージ取付け板２１）の底面図であり、図１０は、第１位置においてゲージ支持枠Ｆに対してゲージＧをセットする状態を示す斜視図であり、図１１は、ゲージプレス機Ｄのゲージセット面（ゲージ取付け板２１）に対してゲージＧをセットする前の状態の拡大側面図であり、図１２（イ），（ロ）は、それぞれゲージプレス機Ｄのゲージセット面（ゲージ取付け板２１）に対してゲージＧをセットする前後の各状態の拡大側面図である。図８及び図９において、ラム６１の下面６１ａには、ゲージ取付け板２１が複数本のボルト２２により固定され、ラム６１内に配設された複数（実施例では５個）の電磁石Ｍの磁極Ｍａは、ゲージ取付け板２１の対応位置に形成された開口２３に入り込んでいて、当該磁極Ｍａの下面は、ゲージ取付け板２１の下面よりも僅かに引っ込んで配置されている。また、ゲージ取付け板２１には、当該ゲージ取付け板２１に対するゲージＧの位置決めを行うための一対の位置決めピンＰ2 が突設されている。即ち、ゲージＧに形成された前記位置決め孔Ｈ1 は、ゲージ取付け板２１に対する位置決め機能も兼用していて、前記一対の位置決めピンＰ2 は、ゲージＧの一対の位置決め孔Ｈ1 の略上半部に嵌合される。ゲージ取付け板２１の下面には、パチンコ面板Ｔに対するゲージＧの位置決めを行う位置決めピンＰ3 が突出して設けられ、当該一対の位置決めピンＰ3 は、ゲージＧに形成された一対の貫通孔Ｈ2 を貫通して、パチンコ面板Ｔに形成された一対の位置決め孔Ｈ3 に嵌合されることにより、釘下孔穿孔時におけるパチンコ面板Ｔに対するゲージＧの位置決めが行われる。
【００２０】
また、ゲージ取付け板２１には、複数の電磁石Ｍの吸着力により当該ゲージ取付け板２１に密着して吸着されたゲージＧが、停電等の非常原因による電磁石Ｍの電源ＯＦＦのために落下するのを防止するための二対の落下防止具２４が取付けられている。即ち、落下防止具２４はＬ字形をなしていて、その水平部が支持部２４ａとなっている。一対の落下防止具２４は、パチンコ面板Ｔの搬送方向Ｘに沿って所定間隔をおいて当該搬送方向Ｘに沿って対向配置されている。これにより、ゲージ支持枠Ｆに支持されてゲージＧがラム６１の直下のゲージセット面に対して搬入出される際において、当該ゲージＧの搬送方向Ｘに沿った両端部は、落下防止具２４の支持部２４ａの直上に僅かの隙間を有して配置される。
【００２１】
また、複数の電磁石Ｍの吸着力によりゲージ取付け板２１にゲージＧが吸着されている状態において、各電磁石Ｍの電源をＯＦＦしても、残留磁気によりゲージ取付け板２１からゲージＧが離脱しない場合があり、この場合に対処して、ゲージ取付け板２１には、複数本（実施例では２本）のゲージ離脱ピンＰ4 （図８参照）が当該ゲージ取付け板２１の下面から出入り可能に設けられている。なお、図８及び図９において、２５は、ゲージ取付け板２１の下面に取付けられて、ゲージＧがセットされたこと（ゲージセット位置におけるゲージＧの存否）を検出するためのセンサを示し、当該検出信号の検出によりラム６１の下降等のプレス動作を開始させる。
【００２２】
そして、ゲージＧを新規に装着するには、図１０に示されるように、第１位置において、ゲージ支持枠Ｆに設けられた一対の位置決めピンＰ1 をゲージＧの一対の位置決め孔Ｈ1 に嵌合させることにより、ゲージ支持枠Ｆに対するゲージＧの位置決めを行って、当該ゲージ支持枠ＦにゲージＧを支持させる。次に、昇降シリンダ１によりゲージＧを支持したゲージ支持枠Ｆを直上まで上昇させ、その後に第１及び第２の各水平移動シリンダ２，３を順次作動させると、図１１及び図１２に示されるように、ゲージ支持枠Ｆに支持されたゲージＧは、プレス機Ｄのラム６１の下面のゲージセット面の直下に配置される。また、ゲージ支持枠Ｆの前進端位置、換言するとゲージ支持枠Ｆに支持されたゲージＧの前進端位置は、図６に示されるように、ゲージ支持枠Ｆの中間部材１２の下面に一体に取付けられたブロック体１４に第２水平移動シリンダ３のロッド３ａの先端が連結されていて、第２水平移動シリンダ３のロッド３ａの突出により、ゲージ支持枠Ｆが搬送直交方向Ｙに移動して、前記ブロック体１４が、水平移動枠６におけるプレス機Ｄに進入する側の端部の連結部材１５の手前側に取付けられたショックアブソーブ機能を有するストッパー１６に当接することにより定められる。この状態では、ゲージ取付け板２１の下面とゲージＧの上面との間には隙間２６が形成されて、当該隙間２６の高さＬは、８ｍｍ程度であって、ゲージＧの搬送方向Ｘに沿った両端縁Ｇａは、各落下防止具２４の内部に入り込んでいる〔図１２（イ）参照〕。この状態で、各電磁石Ｍの電源をＯＮすると、その磁気吸引力によりゲージＧは前記隙間２６の高さＬ分だけ上昇されて、ゲージＧの一対の位置決め孔Ｈ1 に、ゲージ取付け板２１の下面から突出した一対の位置決めピンＰ2 が嵌合して〔図１２（ロ）参照〕、ゲージ取付け板２１に対するゲージＧの搬送方向Ｘ及び搬送直交方向Ｙの双方の位置決めがなされた状態で、ゲージ取付け板２１の下面にゲージＧが密着して取付けられる。
【００２３】
そして、パチンコ面板Ｔに釘下孔Ｈ0 （図１３参照）を穿孔する場合には、両端部が左右の各列の多数の固定用ローラＲの上下の各鍔体６７の間で支持された状態でラム６１の直下まで搬送されてきたパチンコ面板Ｔは、上昇しているストッパーピン６９に衝突して停止している。この状態で、ラム６１を下降させると、図１３に示されるように、ゲージ取付け板２１の下面から突出している一対の位置決めピンＰ3 がパチンコ面板Ｔの一対の位置決め孔Ｈ3 に嵌合して、ゲージＧに対するパチンコ面板Ｔの位置決めがなされた後に、ゲージ取付け板２１の下面の所定位置に突設されている多数本のゲージピン６８がパチンコ面板Ｔに突刺されて、当該パチンコ面板Ｔの特定位置に釘下孔Ｈ0 が穿孔される。その後に、ラム６１が上昇すると共に、ストッパーピン６９が下降した後に、停止していた多数本の固定用ローラＲが起動することにより、釘下孔Ｈ0 が穿孔されたパチンコ面板Ｔは、ラム６１の直下から外部に搬送される。
【００２４】
一方、パチンコ面板Ｔの機種の変更等によって、ゲージＧの交換を行う場合には、ラム６１のゲージセット面の直下にゲージ支持枠Ｆを配置した状態で、各電磁石Ｍの電源をＯＦＦにすると、ゲージ取付け板２１に対してゲージＧを吸着していた磁気吸引力が解除されるため、ゲージＧは落下して、直下のゲージ支持枠Ｆを構成する一対のゲージ支持部材１３に支持される。この状態で、第１及び第２の各水平移動シリンダ２，３並びに昇降シリンダ１を、新規のゲージＧの装着時と逆の順序で作動させると、ゲージ支持枠Ｆに支持されたゲージＧは、第１位置まで戻される。
【００２５】
このように、ゲージプレス機Ｄに装備したゲージ搬入出装置Ｂによって、ラム６１の下面６１ａのゲージセット面に対してゲージＧの着脱を人手を介することなく自動的に行えるので、ゲージＧの交換作業が容易になると共に、ラム６１の直下に人が入り込むことなくゲージＧの交換作業を行えるため、安全でもある。
【００２６】
また、ゲージピン６８の配置の異なる多種類の各ゲージに設けられる一対の位置決め孔Ｈ1 のピッチを、ゲージ取付け板２１に設けられた一対の位置決めピンＰ2 のピッチと同一にしておけば、ゲージプレス機Ｄに装備したゲージ搬入出装置Ｂによって異なるゲージの着脱が可能となる。
【図面の簡単な説明】
【００２７】
【図１】本発明に係るゲージプレス機Ｄの全体斜視図である。
【図２】同じく正面図である。
【図３】同じく右側面図である。
【図４】ゲージ搬入出装置Ｂの斜視図である。
【図５】（イ），（ロ），（ハ）は、ゲージ支持枠Ｆが上昇端に位置している状態において、それぞれゲージ支持枠Ｆがプレス機Ｄの側方に位置している状態、中間位置に位置している状態、及びラム６１の下面のゲージセット面（ゲージ取付け板２１）の直下に位置している状態の平面図である。
【図６】ゲージ支持枠Ｆに支持されたゲージＧの搬送直交方向Ｙに沿って移動停止位置の検出構造を示す部分平面図である。
【図７】（イ）は、面板位置決め固定装置Ａの概略平面図であり、（ロ）は、各固定用ローラＲのプーリ７４に対するベルト７５の掛装状態を示す平面図である。
【図８】ゲージプレス機Ｄのラム６１の下面６１ａのゲージセット面（ゲージ取付け板２１）と、ゲージＧ、及びパチンコ面板Ｔとを分離させた状態の斜視図である。
【図９】ゲージプレス機Ｄのゲージセット面（ゲージ取付け板２１）の底面図である。
【図１０】第１位置においてゲージ支持枠Ｆに対してゲージＧをセットする状態を示す斜視図である。
【図１１】ゲージプレス機Ｄのゲージセット面（ゲージ取付け板２１）に対してゲージＧをセットする前の状態の拡大側面図である。
【図１２】（イ），（ロ）は、それぞれゲージプレス機Ｄのゲージセット面（ゲージ取付け板２１）に対してゲージＧをセットする前後の各状態の拡大側面図である。
【図１３】パチンコ面板ＴとゲージＧとの位置決めが行われて、パチンコ面板Ｔに釘下孔Ｈ0 を穿孔している状態を示す図である。
【符号の説明】
【００２８】
Ｂ：ゲージ搬入出装置
Ｄ：ゲージプレス機
Ｇ：ゲージ
Ｆ：ゲージ支持枠
Ｈ0 ：釘下孔
Ｈ1 ：ゲージの位置決め孔
Ｍ：電磁石
Ｍａ：磁極
Ｐ1 ：ゲージ支持枠の位置決めピン
Ｐ2 ：ゲージ取付け板の位置決めピン
Ｔ：パチンコ面板
Ｘ：パチンコ面板の搬送方向
Ｙ：搬送直交方向
１：昇降シリンダ
２：第１水平移動シリンダ
３：第２水平移動シリンダ
６：水平移動枠
２１：ゲージ取付け板（ゲージセット面）
２４：落下防止具
２４ａ：支持部
６１：ラム
６１ａ：ラムの下面
【図１】
2008161244.tif 000003
【図２】
2008161244.tif 000004
【図３】
2008161244.tif 000005
【図４】
2008161244.tif 000006
【図５】
2008161244.tif 000007
【図６】
2008161244.tif 000008
【図７】
2008161244.tif 000009
【図８】
2008161244.tif 000010
【図９】
2008161244.tif 000011
【図１０】
2008161244.tif 000012
【図１１】
2008161244.tif 000013
【図１２】
2008161244.tif 000014
【図１３】
2008161244.tif 000015